(57)【要約】表面カバーが上下に分割された操作盤において、表面カバーを取り付ける作業が簡便であるとともに、表面カバーの分割部の見栄えを良くすることができるエレベータの操作盤を得ることを目的とする。この目的を達成するために、操作盤の表面の上側に設けられ上下方向にスライド可能な上カバーと、この上カバーの下端より下方に配置されて上カバーの内側に設けられ、水平方向に内側へ延びた係合面を有する係合部材と、操作盤の表面の下側に設けられた下カバーと、下カバーの上端より下方の内側に設けられ、上カバーの下端と下カバーの上端とを当接させるように、係合面に係合する案内面を有する案内部材とを、備えた。
2010109527.tif 000002
【特許請求の範囲】
【請求項１】
表面カバーが上下に分割されたエレベータの操作盤において、該操作盤の表面の上側に設けられ上下方向にスライド可能な上カバーと、
該上カバーの下端より下方に配置されて上カバーの内側に設けられ、水平方向に内側へ延びた係合面を有する係合部材と、
前記操作盤の表面の下側に設けられた下カバーと、
該下カバーの上端より下方の内側に設けられ、前記上カバーの下端と前記下カバーの上端とを当接させるように、前記係合面に係合する案内面を有する案内部材と、
を備えたことを特徴とするエレベータの操作盤。
【請求項２】
前記係合部材は、幅が前記上カバーのほぼ全幅であり、前記上カバーの下端より下方に延出するとともに、前記上カバーの下端と前記下カバーの上端との分割部の裏面側に配置された延出部を有することを特徴とする請求項１に記載のエレベータの操作盤。
【請求項３】
前記案内部材の先端に下方向へ傾斜した傾斜部を設けたことを特徴とする請求項１または２に記載のエレベータの操作盤。
【請求項４】
前記案内部材を前記係合部材の幅方向に規制する規制部材を備えたことを特徴とする請求項１または２に記載のエレベータの操作盤。
【請求項５】
前記案内部材に設けられ、前記係合部材の内面に対向して配置されて、前記下カバーが外されるとき、前記係合部材の内面に当接するストッパを備えたことを特徴とする請求項１または２に記載のエレベータの操作盤。
【発明の詳細な説明】
【技術分野】
【０００１】
この発明は、エレベータを操作する操作盤に関するものであり、特に上下に分割された表面カバーの取り付け構造に関するものである。
【背景技術】
【０００２】
エレベータの操作盤は表面側に表面カバーを備え、この表面カバーにかごの行先階を指定するための行先階ボタンや、かごを呼ぶための登録ボタンなどが設けられている。従来のエレベータの操作盤は、表面カバーが上下に３分割されており、上カバーはかご室壁に固定され、中央カバーが、かご室壁に取り付けられたブラケットに固定されている。そして、中央カバーの下側に枠が取り付けられ、この枠に下カバーが取り付けられている。このように各カバーは分割部でカバー同士を取り付けてはおらず、それぞれ独立にかご室壁、ブラケットや枠などの被取付部材に取り付けられている。（例えば、特許文献１参照）【０００３】
【特許文献１】特開２００６−２５６７３６号公報（第３頁、第１図）
【発明の開示】
【発明が解決しようとする課題】
【０００４】
従来のエレベータの操作盤は、分割されたカバーをそれぞれ独立に被取付部材に取り付けられているので、カバーの取り付け位置によっては、カバーの分割部に隙間が生じる場合がある。分割部に隙間が生じると、カバーの分割部の見栄えが悪くなったり、隙間から異物が混入するといった問題点があった。また、カバーの分割部に隙間が生じないようにするには、例えば、上カバーを取り付けた状態で、中央カバーを一度取り付けてみて隙間が生じた場合には、中央カバーの取り付け位置を調整して隙間が生じないようにする必要がある。また、中央カバーの取り付け位置を調整しても、依然として隙間が生じる場合は、中央カバーを外して被取付部材であるブラケットの取り付け位置を調整する必要がある。このようにカバーの分割部に隙間が生じないようにするためには、試行錯誤的な調整作業が必要であり、カバーの取付作業に多大な時間を要するといった問題点があった。
本発明は、かかる問題を解決するためになされたもので、その目的は、表面カバーが上下に分割された操作盤において、表面カバーを取り付ける作業が簡便であるとともに、表面カバーの分割部の見栄えを良くすることができるエレベータの操作盤を得ることである。
【課題を解決するための手段】
【０００５】
この発明に係るエレベータの操作盤は、表面カバーが上下に分割されており、操作盤の表面の上側に設けられ上下方向にスライド可能な上カバーと、この上カバーの下端より下方に配置されて上カバーの内側に設けられ、水平方向に内側へ延びた係合面を有する係合部材と、操作盤の表面の下側に設けられた下カバーと、下カバーの上端より下方の内側に設けられ、上カバーの下端と下カバーの上端とを当接させるように、係合面に係合する案内面を有する案内部材とを、備えたものである。
【発明の効果】
【０００６】
これにより、下カバーを装着する際、係合面が案内面に係合しながら上カバーが上方へ移動し、下カバーの装着が完了するとともに上カバーが装着された状態とすることができ、簡便な作業で表面カバーを取り付けることができる。また、上カバーの下端から係合面の位置と下カバーの上端から案内面の位置との寸法関係を調整することで、案内面が係合面に係合するとともに、上カバーの下端と下カバーの上端とを当接させるようになる。従って、分割部が一体的な表面で形成されたようになり、表面カバーの見栄えを良くすることができる。
【図面の簡単な説明】
【０００７】
【図１】本発明の実施の形態１におけるエレベータの操作盤が取り付けられたかごを示した図である。
【図２】本発明の実施の形態１におけるエレベータの操作盤の正面図である。
【図３】図２のＡ部を拡大し表面カバーを除いた正面図である。
【図４】図３の断面Ｂ−Ｂを示した図である。
【図５】エレベータの操作盤の上カバーの側面の断面を示した図である。
【図６】エレベータの操作盤の下カバーの側面の断面を示した図である。
【図７】エレベータの操作盤の表面カバーを取り付ける動作を説明するための図であり、上カバーを取り付ける前の状態を示した図である。
【図８】上カバーが取り付けられた状態を示した図である。
【図９】下カバーを取り付けようとしている状態を示した図ある。
【図１０】本発明の実施の形態２におけるエレベータの操作盤の係合部材と案内部材とが組み合わさった状態を示した図である。
【図１１】本発明の実施の形態２における係合部材を示した斜視図である。
【図１２】本発明の実施の形態２における案内部材を示した斜視図である。
【図１３】本発明の実施の形態３におけるエレベータの操作盤の係合部材と案内部材とが組み合わさった状態を示した図である。
【図１４】本発明の実施の形態３における案内部材を示した斜視図である。
【図１５】本発明の実施の形態３におけるエレベータの操作盤の側面側の部分断面を示した図である。
【符号の説明】
【０００８】
３  表面カバー、  ３ａ  分割部、  ３ｂ  上カバー、  ３ｃ  下カバー、
４  筐体、  ７  ガイド、  １０  係合部材、  １０ｄ  係合面、  １２  案内部材、
１２ｃ  案内面、  １２ｄ  傾斜部、  ２１  凸部、  ３１  凹部、  
３５  規制部材、４１  ストッパ、４１ｂ  止め部
【発明を実施するための最良の形態】
【０００９】
以下、本発明の実施の形態について、詳細に説明する。
実施の形態１．
図１は、本発明の実施の形態１におけるエレベータの操作盤が取り付けられたかごを示した図である。図２はエレベータの操作盤の正面図である。図３は、図２のＡ部を拡大し表面カバーを除いた正面図である。図４は、図２の断面Ｂ−Ｂを示した図である。図５はエレベータの操作盤の上カバーの側面の断面を示した図である。図６はエレベータの操作盤の下カバーの側面の断面を示した図である。
エレベータのかご１には、出入り口ドア１ａの側面側にかご室壁１ｂが設けられ、このかご室壁１ｂに操作盤２が取り付けられている。操作盤２には、表面側に表面カバー３が設けられている。この表面カバー３は、分割部３ａで上下に２分割されており、それぞれ上側が上カバー３ｂであり、下側が下カバー３ｃである。そして、上カバー３ｂと下カバー３ｃは箱状の筐体４に取り付けられている。この筐体４がかご室壁１ｂの裏側に配置されて、表面カバー３がかご室壁１ｂの表面に一体的に配置される。下カバー３ｃには、かご１の行先階を指定する行先階ボタン３ｅや出入り口ドア１ａの開閉を指示する開閉ボタン３ｆが設けられている。また、下カバー３ｃにはかご１の運行状態などを表示する表示器３ｇが設けられている。このように、下カバー３ｃがエレベータを操作する部分となり、上カバー３ｂが下カバー３ｃの上側に配置されてかご室壁１ｂと一体感を持たせている。以上のように、上下に分割された表面カバー３は、かご１の高さが異なる場合でも、上カバー３ｂの高さを変えることで、操作部である下カバー３ｃを共通とすることができ、種々のかご１に対応するものである。【００１０】
筐体４の奥側の内面でかつ幅方向の中央にブラケット５が取り付けられている。このブラケット５は断面がＬ字状を呈し、一片５ａと他片５ｂを有している。ブラケット５の一片５ａが筐体４の上端面に対向して配置され、他片５ｂが一片５ａの下側に配置されて筐体４の内面に取り付けられている。他片５ｂには上下方向に長い長穴６ａが設けられ、この長穴６ａに対応したネジ棒６ｂが筐体４の内面に立設している。そして、このネジ棒６ｂに長穴６ａが挿入されて、ナット６ｃがネジ棒６ｂにねじ込まれて、ブラケット５が筐体４に締結されている。また、筐体４の上端部内側でかつ幅方向の中央に棒状の上ガイド７ａが立設されている。そして、下ガイド７ｂが上ガイド７ａに対向してブラケット５の一片５ａに立設されている。この上ガイド７ａ及び下ガイド７ｂとでカイド７を構成している。【００１１】
上カバー３ｂの上部内側に取付金８が設けられている。この取付金８は断面がＬ字状を呈し、一片が筐体４の上端面に対向して配置されて、他片が上カバー３ｂに取り付けられている。取付金８の他片の両側には取付穴が設けられ、この取付穴に対応したネジ棒９ａが上カバー３ｂの裏面に立設している。そして、このネジ棒９ａに取付金８の取付穴が挿入されて、ナット９ｂがネジ棒９ａにねじ込まれて、取付金８が上カバー３ｂに締結されている。また、取付金８の一片の幅方向の中央にガイド穴８ａが設けられている。このガイド穴８ａに上ガイド７ａが挿通されて、取付金８が上ガイド７ａに対して上下方向に摺動される。【００１２】
また、上カバー３ｂの下部内側に係合部材１０が設けられている。この係合部材１０は断面がコ字状を呈し、延出部１０ａの上下側にそれぞれ係合片１０ｂと取付片１０ｃが水平方向に突出して一体的に形成している。延出部１０ａが上カバー３ｂの裏面に取り付けられ、上カバー３ｂの下端より下方に延出している。そして、延出部１０ａは上カバー３ｂの下端と下カバー３ｃの上端との分割部３ａの裏面側に配置されている。また、延出部１０ａは、幅が上カバー３ｂのほぼ全幅となっており、筐体４の幅方向の内側に収まっている。そして、係合片１０ｂが上カバー３ｂの下端より下方に配置され、水平方向に内側へ延びた状態となっている。なお、係合片１０ｂの下面が係合面１０ｄである。また、上カバー３ｂの下端から係合面１０ｄまでの高さ寸法が寸法Ｃである。【００１３】
そして、取付片１０ｃが水平方向に内側へ延びた状態となって、ブラケット５の一片５ａの上側に対向している。また、取付片１０ｃには、幅方向の中央にガイド穴１０ｅが設けられている。このガイド穴１０ｅに下ガイド７ｂが挿通されて、係合部材１０が下ガイド７ｂに対して上下方向に摺動される。なお、延出部１０ａに取付穴が設けられ、この取付穴に対応したネジ棒１１ａが上カバー３ｂの内面に立設している。そして、このネジ棒１１ａに延出部１０ａの取付穴が挿入されて、ナット１１ｂがネジ棒１１ａにねじ込まれて、係合部材１０が上カバー３ｂに締結されている。以上のように、上カバー３ｂは、ガイド７によって筐体４に対して上下方向にスライド可能となっている。【００１４】
下カバー３ｃの上部内側に案内部材１２が設けられている。この案内部材１２は断面がＬ字状を呈し、案内片１２ａと取付片１２ｂとを有している。案内片１２ａが下カバー３ｃの上端より下方の位置に配置されて、水平方向に内側へ延びている。そして、取付片１２ｂが案内片１２ａより下側に配置されて下カバー３ｃの裏面に取り付けられている。また、案内片１２ａは係合片１０ｂの下側に配置されて、案内片１２ａの上面が係合面１０ｄに係合している。なお、案内片１２の上面が案内面１２ｃである。また、下カバー３ｃの上端から案内面１２ｃまでの高さ寸法が寸法Ｄである。また、寸法Ｄは寸法Ｃ以下である。さらに、案内片１２ａの先端部は下方向に向かって傾斜した傾斜部１２ｄを形成している。なお、案内部材１２の取付片１２ｂには取付穴が設けられ、この取付穴に対応したネジ棒１３ａが下カバー３ｃの裏面に立設している。そして、このネジ棒１３ａに案内部材１２の取付片１２ｂの取付穴が挿入されて、ナット１３ｂがネジ棒１３ａにねじ込まれて、案内部材１２が下カバー３ｃに締結されている。【００１５】
次に、下カバー３ｃの筐体４に対する取り付け構造について、図３，４を用いて説明する。
図４に示すように、下カバー３ｃの上下部に係止部材１４が設けられている。この係止部材１４は、板部材１４ａと板部材１４ａに立設された係止棒１４ｂとを備えている。また、筐体４には、係止部材１４に対応した取付部材１５が設けられている。この取付部材１５は板部材１５ａとヘ字状の係止バネ１５ｂとを備えている。板部材１５ａの先端部には係止棒１４ｂ側に開放された切欠き部１５ｃが形成されている。そして、係止バネ１５ｂが、水平方向から視て切欠き部１５ｃと重なるように板部材１５ａに設けられている。この係止バネ１５ｂは根元部が板部材１５ａに固定され、先端部が弾性変形により揺動するようになっている。そして、係止棒１４ｂが切欠き部１５ｃに挿入されるとともに、係止バネ１５ｂが係止棒１４ｂを切欠き部１５ｃ側へ押え付けることで、係止部材１４が取付部材１５に係止される。以上によって、下カバー３ｃが筐体４に取り付けられる。【００１６】
次に、表面カバー３、即ち上カバー３ｂと下カバー３ｃを筐体４に取り付ける動作について、図４，５，６，７，８，９を用いて説明する。図７は上カバー３ｂを取り付ける前の状態を示した図である。図８は上カバー３ｂが取り付けられた状態を示した図である。図９は下カバー３ｃを取り付けようとしている状態を示した図ある。
まず、寸法Ｄが寸法Ｃ以下となるように、係合部材１０と案内部材１２の取り付け位置を調整する。この調整は、延出部１０ａの取付穴の穴径とネジ棒１１ａの軸径との寸法差、及び、取付片１２ｂの取付穴の穴径とネジ棒１３ａの軸径との寸法差の範囲内で行われる。次に、図７のように、ナット６ｃを緩めた状態でネジ棒６ｂを長穴６ａに係合させながら、ブラケット５を下方へ下げる。このとき、上ガイド７ａと下ガイド７ｂとの間隔は、取付金８の一片と係合部材１０の取付片１０ｃとの間隔より大きい状態となる。次に、上カバー３ｂを筐体４に取り付ける。このとき、ガイド穴８ａを上ガイド７ａの位置に配置させるとともに、ガイド穴１０ｅを下ガイド７ｂの位置に配置させる。そして、図８のように、ブラケット５を引き上げ、ガイド穴１０ｅと下ガイド７ｂを係合させるとともに、ガイド穴８ａと上ガイド７ａを係合させる。このとき、上カバー３ｂの自重により、ブラケット５の一片５ａの上面と係合部材１０の取付片１０ｃの下面とが当接した状態となっている。以上により上カバー３ｂの装着が完了する。なお、ブラケット５の取り付け位置を調整することで、上カバー３ｂの取り付け位置が調整される。【００１７】
次に、下カバー３ｃを次に述べるように筐体４に取り付ける。図９に示すように、上下部の係止棒１４ｂを係止バネ１５ｂの先端位置に配置させ、係止棒１４ｂを切欠き部１５ｃ内へ押し込む。これによって、図４のように、係止部材１４が取付部材１５に係止され下カバー３ｃが筐体４に取り付けられる。また、上記とともに、係合部材１０の係合片１０ｂが案内部材１２の傾斜部１２ｄに係合した状態となって、上カバー３ｂが自重に逆らってガイド７に案内されながら上方へ移動する。そして、下カバー３ｃが筐体４に装着されると、図４に示すように、係合部材１０の係合面１０ｄが案内部材１２の案内面１２ｃに係合された状態となる。【００１８】
このとき、係合部材１０の取付片１０ｃの下面がブラケット５の一片５ａの上面に対して浮き上がった状態となって、上カバー３ｂの自重が案内部材１２に支えられた状態となる。これにより、上カバー３ｂの下端と下カバー３ｃの上端とが当接できるようになる。なお、寸法Ｄが寸法Ｃと同一の場合、上カバー３ｂの下端と下カバー３ｃの上端とが重なった状態となり、分割部３ａには隙間が無い状態となる。寸法Ｄが寸法Ｃより小さい場合は、分割部３ａには寸法Ｃと寸法Ｄの差分の隙間が生じるが、正面視からは、係止部材１０の延出部１０ａが遮った状態となる。以上によって、下カバー３ｃが筐体４に取り付けられるとともに、上カバー３ｂが装着された状態となって、表面カバー３が筐体４に装着される。【００１９】
以上の実施の形態１におけるエレベータの操作盤は、次に示す効果を奏する。
実施の形態１におけるエレベータの操作盤は、上カバー３ｂがガイド７によって上下方向にスライド可能に筐体４に装着されている。そして、係合部材１０が上カバー３ｂの下部内側に設けられている。この係合部材１０は上カバー３ｂの下端より下方に配置され、水平方向に内側へ延びた係合面１０ｄを有している。また、下カバー３ｃの上部内側に案内部材１２が設けられている。この案内部材１２は、下カバー３ｃの上端より下方に配置された案内片１２ａを有している。そして、案内片１２ａは係合部材１０の係合片１０ｂの下側に配置されて、案内面１２ｃが係合面１０ｄに係合している。これにより、下カバー３ｃを装着する際、係合面１０ｄが案内面１２ｃに係合しながら上カバー３ｂが上方向へ移動し、下カバー３ｃの装着が完了するとともに上カバー３ｂが装着された状態とすることができ、簡便な作業で表面カバー３を取り付けることができる。【００２０】
また、上カバー３ｂの下端から係合面１０ｄの位置（寸法Ｃ）と下カバー３ｃの上端から案内面１０ｃの位置（寸法Ｄ）との寸法関係を調整することで、案内面１２ｃが係合面１０ｄに係合するとともに、上カバー３ｂの下端と下カバー３ｃの上端とを当接させるようになる。従って、分割部３ａが一体的な表面で形成されたようになり、表面カバー３の見栄えを良くすることができる。なお、望ましくは、寸法Ｄが寸法Ｃと同一とすることがよく、この場合、分割部３ａの隙間が無い状態となり表面カバー３の見栄えが良い。【００２１】
また、実施の形態１におけるエレベータの操作盤は、係合部材１０には、上カバー３ｂの下端より下方に延出した延出部１０ａを有している。この延出部１０ａは、分割部３ａの裏面側に配置されており、幅が上カバー３ｂのほぼ全幅となっている。上カバー３ｂの下端あるいは下カバー３ｃの上端の平面度の精度が良くない状態や、寸法Ｄが寸法Ｃより小さい場合、分割部３ａに隙間が生じる。しかしながら、実施の形態１では、延出部１０ａが分割部３ａの隙間を遮った状態となり、筐体４の内部が見えない状態とすることができ、表面カバー３の見栄えをさらに良くすることができる。【００２２】
さらに、案内片１２ａの先端部に下方向へ傾斜した傾斜部１２ｄを設けたので、下カバー３ｃを装着する際に、係合面１０ｄが案内面１２ｃより下方の位置にあった状態で、下カバー３ｃを取り付けても、係合部材１０が傾斜部１２ｄに係合して、上カバー３ｂが上方へ移動し筐体４に装着される。そのため、さらに簡便な作業で表面カバー３を取り付けることができる。【００２３】
実施の形態２．
図１０は、本発明の実施の形態２におけるエレベータの操作盤の係合部材と案内部材とが組み合わさった状態を示した図である。図１１は係合部材を示した斜視図で、図１２は案内部材を示した斜視図である。実施の形態２は実施の形態１に対して、係合部材と案内部材を変更したものである。【００２４】
実施の形態２における係合部材２０は、上カバー３ｂの下部内側に設けられている。この係合部材２０は、断面が略コ字状を呈し、延出部２０ａの上下側にそれぞれ係合片２０ｂと取付片２０ｃが水平方向に突出して一体的に形成している。延出部２０ａが上カバー３ｂの裏面に取り付けられ、上カバー３ｂの下端より下方に延出している。そして、延出部２０ａは、上カバー３ｂの下端と下カバー３ｃの上端との分割部３ａの裏面側に配置されている。また、延出部２０ａは、幅が上カバー３ｂのほぼ全幅となっており、筐体４の幅方向の内側に収まっている。また、延出部２０ａは正面から視て凸状を呈し、凸部２１が下方に向かって突出している。そして、この凸部２１の両側でかつ上側に係合片２０ｂが配置されている。また、係合片２０ｂは上カバー３ｂの下端より下方に配置され、水平方向に内側へ延びた状態となっている。なお、係合片２０ｂの下面が係合面２０ｄである。そして、取付片２０ｃが水平方向に内側へ延びた状態となって、実施の形態１と同様にブラケット５の一片５ａの上側に対向している。【００２５】
なお、取付片２０ｃには、幅方向の中央にガイド穴２２が設けられている。このガイド穴２２に、実施の形態１と同様に下ガイド７ｂが挿通されて、係合部材２０が下ガイド７ｂに対して上下方向に摺動される。また、延出部２０ａには、実施の形態１と同様に左右両側に取付穴２３を有し、この取付穴２３に上カバー３ｂの内面に立設したネジ棒１１ａが挿入されて、ナット１１ｂによって上カバー３ｂに取り付けられる。【００２６】
案内部材３０は下カバー３ｃの上部内側に設けられている。この案内部材３０は断面が略Ｌ字状を呈し、案内片３０ａと取付片３０ｂとを有している。案内片３０ａが下カバー３ｃの上端より下方の位置に配置されて、水平方向に内側へ延びている。そして、取付片３０ｂが案内片３０ａより下側に配置され下カバー３ｃの裏面に取り付けられている。また、案内片３０ａは係合片２０ｂの下側に配置されて、実施の形態１と同様に案内片３０ａの上面が係合面２０ｄに係合している。なお、案内片３０ａの上面が案内面３０ｃである。さらに、案内片３０ａの先端部は下方向に向かって傾斜した傾斜部３０ｄを形成している。【００２７】
また、取付片３０ｂは正面から視て上方に開放した凹状を呈したへこみ部３１ａを形成している。そして、このへこみ部３１ａの両側でかつ上側に案内片３０ａが配置されている。そして、へこみ部３１ａの内側面３１ｂと案内片３０ａの内側面３１ｃとが同一の面となっている。へこみ部３１ａと案内片３０ａの内側面３１ｃとで形成された部分が凹部３１である。このように、案内部材３０は、正面から視て上方に開放した凹部３１を有している。なお、取付片３０ｂには、実施の形態１と同様に左右両側に取付穴３２が設けられ、この取付穴３２に下カバー３ｃの裏面に立設したネジ棒１３ａが挿入されて、ナット１３ｂによって下カバー３ｃに取り付けられる。【００２８】
係合部材２０と案内部材３０は、上記のように係合面２０ｄと案内面３０ｃとが係合するとともに、凸部２１と凹部３１とが次のように係合して組み合わされている。即ち、凸部２１が凹部３１に挿入されて、凸部２１の両側面が凹部３１の内側面３１ｃに係合している。この凸部２１と凹部３１とで規制部材３５を構成している。これにより、案内部材３０が係合部材２０に対して幅方向に規制される。そして、下カバー３ｃを取り付ける際、係合部材２０が案内片３０ａの傾斜部３０ｄ及び案内面３０ｃに係合するとともに、凸部２１の両側面が凹部３１の内側面３１ｃに係合しながら、下カバー３ｃが取り付けられる。そして、下カバー３ｃが筐体４に装着された状態では、凸部２１の両側面が凹部３１の内側面３１ｂに係合した状態となる。このように、下カバー３ｃは、規制部材３５の凸部２１と凹部３１とが係合しながら、上カバー３ｂの幅方向に対して取り付け位置が規制されて筐体４に装着される。【００２９】
なお、凸部２１の幅寸法Ｅは凹部３１の幅寸法Ｆよりも若干小さくなっており、凸部２１の両側面が凹部３１の内側面３１ｂ、３１ｃに係合しながら摺動できるようになっている。そして、寸法Ｅと寸法Ｆとの差分の範囲内で、下カバー３ｃは、上カバー３ｂの幅方向に対して取り付け位置が規制されて筐体４に装着される。この寸法Ｅと寸法Ｆとは限りなく等しいことが望ましく、この場合、下カバー３ｃの取り付け位置の精度が良い。また、上カバー３ｂと下カバー３ｃとが見栄え良く取り付けられるように、係合部材２０と案内部材３０を、それぞれ上カバー３ｂと下カバー３ｃに取り付けることが望ましい。例えば、上カバー３ｂの幅と下カバー３ｃの幅がほぼ同一である場合、上カバー３ｂと下カバー３が取り付けられた状態で、上カバー３ｂの側端面と下カバー３ｃの側端面とを一致させる、あるいは、上カバー３ｂの幅方向の中心と下カバー３ｃの幅方向の中心とを一致させるように、係合部材２０と案内部材３０を取り付ける。この場合、上カバー３ｂと下カバー３ｃとが、幅方向にほぼ一致した状態となって一体的に取り付けられるので、見栄えが良い。
その他については、実施の形態１と同様であり詳細な説明は省略する。【００３０】
以上の実施の形態２におけるエレベータの操作盤は、実施の形態１と同様な効果を奏するとともに次に示す効果も奏する。
実施の形態２は、規制部材３５が案内部材３０を係合部材２０に対して幅方向に規制する。これにより、下カバー３ｃは、上カバー３ｂの幅方向に対して取り付け位置が規制されて筐体４に装着される。そのため、下カバー３ｃを取り付ける作業とともに、下カバー３ｃの幅方向の取り付け位置が調整された状態とすることができ、さらに簡便な作業で表面カバー３を装着することができる。また、下カバー３ｃを装着した後でも、下カバー３ｃが幅方向にずれることを抑制することができる。【００３１】
なお、規制部材３５は、係合部材２０に凸部２１を設け、案内部材３０に凹部３１を設けたが、これに制限されない。例えば、係合部材２０に、正面から視て下方に開放した凹状を呈するように形成した凹部を設け、案内部材３０の取付片３０ｂに、上方へ突出して、この凹部に係合する凸部を設けた規制部材でもよく、規制部材は案内部材３０を係合部材２０に対して幅方向に規制させるものであればよい。【００３２】
実施の形態３．
図１３は、本発明の実施の形態３におけるエレベータの操作盤の係合部材と案内部材とが組み合わさった状態を示した図である。図１４は案内部材を示した斜視図で、図１５はエレベータの操作盤の側面側の部分断面を示した図である。実施の形態３は実施の形態２に対して、案内部材を変更したものである。【００３３】
実施の形態３における案内部材４０は、実施の形態２と同様に下カバー３ｃの上部内側に設けられている。この案内部材４０は断面が略Ｌ字状を呈し、案内片４０ａと、取付片４０ｂと、ストッパ４１とを有している。案内片４０ａが下カバー３ｃの上端より下方の位置に配置されて、水平方向に内側へ延びている。そして、取付片４０ｂが案内片４０ａより下側に配置され下カバー３ｃの裏面に取り付けられている。また、案内片４０ａは係合片２０ｂの下側に配置されて、実施の形態２と同様に案内片４０ａの上面が係合面２０ｄに係合している。なお、案内片４０ａの上面が案内面４０ｃである。さらに、案内片４０ａの先端部は下方向に向かって傾斜した傾斜部４０ｄを形成している。【００３４】
また、取付片４０ｂは正面から視て上方に開放した凹状を呈したへこみ部４２ａを形成している。そして、ストッパ４１がへこみ部４２ａの上側でかつ両側から水平方向に内側へ延びている。このストッパ４１は、へこみ部４２ａの両側から水平方向に内側へ延びた２本の支柱４１ａと、支柱４１ａの先端部が連結された止め部４１ｂとで形成している。この止め部４１ｂは、係合部材２０の凸部２１に対向している。そして、案内片４０ａが支柱４１ａの両側に配置されている。また、案内片４０ａの上面は支柱４１ａの上面と同一の面となっている。【００３５】
へこみ部４２ａの内側面４２ｂと支柱４１ａの内側面４２ｃとが同一の面となっている。へこみ部４２ａと支柱４１ａの内側面４２ｃとで形成された部分が凹部４２である。なお、取付片４０ｂには、実施の形態２と同様に左右両側に取付穴４３が設けられ、この取付穴４３に下カバー３ｃの裏面に立設したネジ棒１３ａが挿入されて、ナット１３ｂによって下カバー３ｃに取り付けられる。【００３６】
係合部材２０と案内部材４０は、実施の形態２と同様に、係合面２０ｄと案内面４０ｃとが係合するとともに、凸部２１と凹部４２とが係合して組み合わされている。この凸部２１と凹部４２とで規制部材４４を構成している。これにより、案内部材３０が係合部材２０に対して幅方向に規制される。そして、下カバー３ｃを取り付ける際、凸部２１を凹部４２に挿入させてから、実施の形態２と同様に、係合部材２０が傾斜部４０ｄ及び案内面４０ｃに係合させながら、下カバー３ｃを取り付ける。このとき、実施の形態２と同様に、規制部材４４によって、下カバー３ｃが上カバー３ｂの幅方向に対して取り付け位置が規制されて筐体４に装着される。【００３７】
また、下カバー３ｃを外す際は、下カバー３ｃが筐体４から引き離される。このとき、ストッパ４１の止め部４１ｂが凸部２１に当接し、下カバー３ｃが外れることを防止する。そして、凹部４２を凸部２１抜き出すように下カバー３ｃを動かして、筐体４から完全に外す。
その他については、実施の形態２と同様であり詳細な説明は省略する。【００３８】
以上の実施の形態３におけるエレベータの操作盤は、実施の形態２と同様な効果を奏するとともに次に示す効果も奏する。
案内部材４０にはストッパ４１を設けたので、下カバー３ｃが万一外れるようなことがあった場合、ストッパ４１の止め部４１ｂが凸部２１に当接して、下カバー３ｃが完全に外れることを防止できる。また、下カバー３ｃを引き離すだけでは外れることがないので、いたずらなどによって下カバー３ｃが外されることを阻止することができる。【００３９】
なお、規制部材４４は、係合部材２０に凸部２１を設け、案内部材４０に凹部４２を設けたが、これに制限されない。例えば、係合部材２０に、正面から視て下方に開放した凹状を呈するように形成した凹部を設け、案内部材４０の取付片４０ｂに、上方へ突出して、この凹部に係合する凸部を設けた規制部材でもよく、規制部材が案内部材４０が係合部材２０に対して幅方向に規制するものであればよい。また、ストッパ４１は止め部４１ｂを凸部２１に対向して形成したが、これに制限されない。例えば、止め部４１ｂを案内面４０ｃの上面に対して上方に折り曲げて形成し、係合部材２０の延出部２０ａに対向してもよい。また、前述のように、規制部材が係合部材に凹部を設け、案内部材に凸部を設けたものの場合、案内部材の凸部の裏面側に凸部から突出した止め部を形成したストッパを設け、このストッパの止め部を係合部材の内面に対向させてもよい。このように、係合部材の内面に対向して配置し、下カバー３ｃが外されるとき、係合部材の内面に当接するストッパを案内部材に設けたものであればよい。
また、上記の実施の形態１，２，３はかご１内の操作盤について説明したが、乗場に設置される操作盤にも適用しても構わない。
【産業上の利用可能性】
【００４０】
以上のように、この発明にかかるエレベータの操作盤は、エレベータかごの昇降動作を操作させる装置として用いられるのに適している。
【図１】
2010109527.tif 000003
【図２】
2010109527.tif 000004
【図３】
2010109527.tif 000005
【図４】
2010109527.tif 000006
【図５】
2010109527.tif 000007
【図６】
2010109527.tif 000008
【図７】
2010109527.tif 000009
【図８】
2010109527.tif 000010
【図９】
2010109527.tif 000011
【図１０】
2010109527.tif 000012
【図１１】
2010109527.tif 000013
【図１２】
2010109527.tif 000014
【図１３】
2010109527.tif 000015
【図１４】
2010109527.tif 000016
【図１５】
2010109527.tif 000017
【国際調査報告】
2010109527.tif 000018
2010109527.tif 000019
2010109527.tif 000020
2010109527.tif 000021